(57)【要約】【課題】開口部Ｗの戸尻側後方にガイドレールを延長する必要をなくする。【解決手段】開口部Ｗの上辺に固定する第１のガイドレール１１と、扉３０の上辺に固定する第２のガイドレール１２と、扉３０の上辺の戸先側に装着する第１の戸車２１と、開口部Ｗの上辺の戸尻側に装着する第２の戸車２２とを設け、第１、第２の戸車２１、２２は、扉３０を吊下してそれぞれ第１、第２のガイドレール１１、１２に沿って走行する。【選択図】図１
2006194048.tif 000002
【特許請求の範囲】
【請求項１】
吊戸形式の扉によって建物の開口部を開閉する吊戸装置であって、開口部の上辺に固定する第１のガイドレールと、扉の上辺に固定する第２のガイドレールと、扉の上辺の戸先側に装着する第１の戸車と、開口部の上辺の戸尻側に装着する第２の戸車とを備えてなり、前記第１、第２の戸車は、扉を吊下してそれぞれ前記第１、第２のガイドレールに沿って走行することを特徴とする吊戸装置。
【請求項２】
扉の下辺の戸尻側には、扉を支持する支持ローラを装着することを特徴とする請求項１記載の吊戸装置。
【請求項３】
開口部の戸尻側後方の床面には、前記支持ローラが走行する支持レールを敷設することを特徴とする請求項２記載の吊戸装置。
【請求項４】
開口部の床面の戸尻側には、扉の下辺をガイドするガイドローラを配設することを特徴とする請求項１ないし請求項３のいずれか記載の吊戸装置。
【発明の詳細な説明】
【技術分野】
【０００１】
この発明は、吊戸形式の扉によって建物の開口部を開閉する吊戸装置に関する。
【背景技術】
【０００２】
吊戸形式の扉によって建物の開口部を開閉する吊戸装置が広く実用されている。
【０００３】
従来の吊戸装置は、開口部を開閉する扉と、戸先側、戸尻側の戸車を介して扉を吊下し、扉を円滑に開閉させる上部のガイドレールとを備えている（たとえば特許文献１）。ガイドレールは、開口部の上辺に沿って配設され、開口部を全開に開いた状態の扉を上方から吊下するために、開口部の戸尻側後方にまで延長されている。なお、戸尻側後方に延長するガイドレールの後端は、戸尻側の戸当り用の支柱によって支持し、この支柱は、壁面に沿って形成する戸袋用の竪材として利用することができる。
【特許文献１】特開２００１−１３２３０６号公報
【発明の開示】
【発明が解決しようとする課題】
【０００４】
かかる従来技術によるときは、開口部の上辺に設けるガイドレールは、開口部の戸尻側後方にまで延長しなければならないから、開口部に隣接する壁面の仕上げ工事が頻雑になり、工事費が過大になりがちであるという問題があった。また、既設建物の開口部に扉枠が存在する場合であっても、既設の扉枠を再利用することができず、材料に無駄を生じるという問題もあった。
【０００５】
そこで、この発明の目的は、かかる従来技術の問題に鑑み、開口部の上辺、扉の上辺にそれぞれ固定する第１、第２のガイドレールを利用することによって、開口部の戸尻側後方にガイドレールを延長する必要がなく、既設の扉枠にも容易に取り付けることができる吊戸装置を提供することにある。
【課題を解決するための手段】
【０００６】
かかる目的を達成するためのこの発明の構成は、吊戸形式の扉によって建物の開口部を開閉する吊戸装置であって、開口部の上辺に固定する第１のガイドレールと、扉の上辺に固定する第２のガイドレールと、扉の上辺の戸先側に装着する第１の戸車と、開口部の上辺の戸尻側に装着する第２の戸車とを備えてなり、第１、第２の戸車は、扉を吊下してそれぞれ第１、第２のガイドレールに沿って走行することをその要旨とする。
【０００７】
なお、扉の下辺の戸尻側には、扉を支持する支持ローラを装着することができ、開口部の戸尻側後方の床面には、支持ローラが走行する支持レールを敷設することができ、開口部の床面の戸尻側には、扉の下辺をガイドするガイドローラを配設することができる。
【発明の効果】
【０００８】
かかる発明の構成によるときは、第１のガイドレールは、開口部の上辺に固定され、扉の上辺の戸先側に装着する第１の戸車を走行させることにより、第１の戸車を介して扉の戸先側を移動可能に吊下する一方、第２のガイドレールは、扉の上辺に固定され、開口部の上辺の戸尻側に装着する第２の戸車を走行させることにより、第２の戸車を介して扉の戸尻側を移動可能に吊下する。すなわち、扉は、第１、第２の戸車を介し、第１、第２のガイドレールにより移動自在に吊下されており、建物の開口部を任意に開閉することができる。また、第１、第２のガイドレールは、それぞれ開口部の幅、すなわち扉の幅とほぼ同等の長さで足り、開口部の戸尻側後方に延長する必要がない。
【０００９】
ただし、開口部の上辺の戸尻側の第２の戸車は、扉が戸尻側に開くに従って、第２のガイドレールに沿って扉の戸尻側から戸先側に相対的に移動し、第１の戸車に近付く。そこで、このときの扉は、その重量により戸尻側が下降する傾向となるが、扉の幅が小さく、扉が軽いときは、たとえば第１のガイドレールを介して第１の戸車を上下に拘束することにより、実用上支障なく動作させることができる。なお、第１のガイドレールは、開口部に扉枠が付設されている場合、扉枠の上枠に固定することができる。また、第１の戸車は、第２のガイドレールの戸先側に装着することができ、第２の戸車は、第１のガイドレールの戸尻側に装着することができる。
【００１０】
扉の下辺の戸尻側に装着する支持ローラは、開口部の戸尻側後方の床面に接地して扉の戸尻側を支持するから、扉が重い場合、扉の幅が大きい場合であっても、扉を開くに従って戸尻側が下降することを有効に阻止することができる。なお、開口部の戸尻側後方の床面に支持レールを敷設すれば、支持ローラは、支持レール上を走行し、扉の開閉を一層円滑にすることができる。
【００１１】
開口部の床面の戸尻側に設けるガイドローラは、扉の下辺をガイドするから、扉が前後に揺れるおそれがない。なお、ガイドローラは、床面に直接立設してもよいが、開口部に組み込まれている扉枠の戸尻側の竪枠の下端に取り付けることも可能である。
【発明を実施するための最良の形態】
【００１２】
以下、図面を以って発明の実施の形態を説明する。
【００１３】
吊戸装置は、扉３０を開閉自在に吊下する第１、第２のガイドレール１１、１２、第１、第２の戸車２１、２２を備えてなる（図１、図２）。なお、吊戸装置は、吊戸形式の扉３０によって建物の開口部Ｗを開閉することができる。
【００１４】
建物の開口部Ｗには、扉枠４０が組み込まれている。扉枠４０は、上枠４１、戸先側、戸尻側の各竪枠４２、４３を門形に組み立てて構成されている。なお、扉枠４０は、開口部Ｗに組み付けられている既設のものであってもよく、新設のものであってもよい。
【００１５】
第１のガイドレール１１は、補助レール１３を介し、上枠４１の前面、すなわち開口部Ｗの上辺に固定されている。また、第２のガイドレール１２は、扉３０の上辺に固定されている。扉３０の幅ａは、開口部Ｗの開口幅ｂより大きく、扉枠４０の最大幅ｗ＝ｂ＋２ｃに対し、ａ≧ｗとなっている。ただし、ｃは、竪枠４２、４３の幅である。
【００１６】
扉３０の戸先側には、把手３１が付設されており、扉３０の下辺には、下向きに開口するチャンネル状のガイドレール３２が付設されている。なお、ガイドレール３２には、開口部Ｗの床面Ｆの戸尻側に配設するガイドローラ２３が収納され、支持ローラ２４が戸尻側に挿着されている。また、扉３０の戸先側、戸尻側の端面には、それぞれエッジ材３４、３４が付設されている。そこで、第１のガイドレール１１は、扉枠４０の最大幅ｗと同長であり、第２のガイドレール１２、ガイドレール３２は、それぞれ扉３０の幅ａよりエッジ材３４、３４の厚さ相当だけ短くなっている。また、扉枠４０の戸尻側後方の床面Ｆには、床面Ｆと同一高さに仕上げる支持レール４４が敷設され、支持ローラ２４は、ガイドローラ２３の後方において、支持レール４４上に接地する。
【００１７】
扉３０は、ペーパハニカムの芯材３０ａの両面に表面材３０ｂ、３０ｂを貼着して軽量に構成されている（図３）。なお、表面材３０ｂ、３０ｂは、扉３０の上辺の第２のガイドレール１２、下辺のガイドレール３２の両側面を越えて第２のガイドレール１２の上面、ガイドレール３２の下端に折り返されている。
【００１８】
第１のガイドレール１１は、下面にスリット１１ａを有する角筒状の押出型材である（図３、図４）。スリット１１ａの両側には、左右のガイドリブ１１ｂ、１１ｂが上向きに形成されている。また、第１のガイドレール１１の上面には、両側面を上方に延長する補強リブ１１ｃ、１１ｃと、中央の下向きチャンネル状の補強溝１１ｄとが形成されている。
【００１９】
第２のガイドレール１２は、第１のガイドレール１１と同一断面形状の押出型材である。第２のガイドレール１２は、スリット１２ａを上面側にし、補強溝１２ｄを下面側にして、第１のガイドレール１１と対向するようにして互いに平行に配置されている。
【００２０】
補助レール１３は、断面略Ｌ字状の押出型材である。上枠４１に固定する補助レール１３の垂直辺は、第１のガイドレール１１と同一高さであり、上辺の下面には、第１のガイドレール１１を位置決めするために、補強溝１１ｄを嵌合させる平行リブ１３ａ、１３ａが下向きに突設されている。また、上辺の前縁には、建物の壁面Ｗa と体裁よく接合するために、斜め上向きの斜面１３ｂが形成されている。
【００２１】
第１、第２の戸車２１、２２は、それぞれ短いチャンネル状の本体ブラケット２１ａ、２２ａの両端部にローラ２１ｂ、２１ｂ、ローラ２２ｂ、２２ｂを組み込み、本体ブラケット２１ａ、２２ａの中央部背面側にそれぞれ吊りボルト２１ｃ、２２ｃを立設して構成されている。すなわち、第１、第２の戸車２１、２２は、互いに同一形態に形成されている。各ローラ２１ｂ、２２ｂの外周は、それぞれ対応する本体ブラケット２１ａ、２２ａの背面側に部分的に露出している。
【００２２】
第１の戸車２１は、吊りボルト２１ｃを介して第２のガイドレール１２の戸先側、すなわち扉３０の上辺の戸先側に上向きに装着されており（図１、図４）、第１のガイドレール１１に走行自在に収納されている。第１の戸車２１の吊りボルト２１ｃは、第１のガイドレール１１のスリット１１ａを上から下に貫通し、各ローラ２１ｂは、両端の大径部分がスリット１１ａとガイドリブ１１ｂ、１１ｂとの間に接地して扉３０の戸先側を吊下している。また、第２の戸車２２は、吊りボルト２２ｃを介して、第１のガイドレール１１の戸尻側、すなわち開口部Ｗの上辺の戸尻側に下向きに装着されており、第２のガイドレール１２に走行自在に収納されている。第２の戸車２２の吊りボルト２２ｃは、第２のガイドレール１２のスリット１２ａを下から上に貫通し、各ローラ２２ｂは、両端の大径部分がスリット１２ａとガイドリブ１２ｂ、１２ｂとの間に接地して扉３０の戸尻側を吊下している。
【００２３】
なお、第１のガイドレール１１内に突出する吊りボルト２２ｃは、角板状の補強部材２２ｄを介して第１のガイドレール１１の下面にねじ止めされており（図３）、戸当り２２ｅが頭部に取り付けられている。第２のガイドレール１２内に突出する吊りボルト２１ｃは、同様に、補強部材２１ｄを介して第２のガイドレール１２の上面にねじ止めされ（図６（Ａ））、戸当り２１ｅが頭部に取り付けられている。
【００２４】
そこで、扉３０は、第１、第２の戸車２１、２２を介して戸先側、戸尻側に移動させ、開口部Ｗを任意に開閉することができる（図１、図２）。扉３０を戸尻側に開くと（図１、図２の矢印方向）、第１の戸車２１は、第１のガイドレール１１内を走行して戸尻側に移動し、このとき、第２の戸車２２は、第２のガイドレール１２内を相対的に走行して戸先側に移動するからである。ただし、図１、図２は、扉３０が開口部Ｗを全閉に閉じている状態を図示しており、扉３０は、図１、図２の矢印方向に移動させることにより、開口部Ｗを全開に開くことができる。
【００２５】
ガイドローラ２３は、扉枠４０の戸尻側の竪枠４３の下端前面に対し、ブラケット２３ａを介してねじ止めされている（図１、図３）。ガイドローラ２３は、ベアリング２３ｃを介し、ブラケット２３ａ上の軸２３ｂの上端に水平回転自在に装着されている（図３、図５）。ガイドローラ２３は、支持ローラ２４の前方に位置するようにして、扉３０の下辺のガイドレール３２に収納されている（図５、図６（Ｂ））。なお、支持ローラ２４は、ブラケット２４ａの下部にローラ２４ｂを組み付けて構成されている。支持ローラ２４は、ブラケット３５ａを介してガイドレール３２の戸尻側にねじ止めする戸当りガイド３５に対し、水平方向の止めねじ２４ｃ、上向き垂直方向の止めねじ２４ｄを介して固定されている。
【００２６】
第１のガイドレール１１の戸先側には、ストッパ２５が組み込まれている（図２、図６（Ａ））。ストッパ２５は、ブラケット２５ａを介して第１のガイドレール１１の天面にねじ止めする弾性材であって、扉３０を全閉に閉じて第１の戸車２１が第１のガイドレール１１の戸先側に移動すると、第１の戸車２１の戸先側のローラ２１ｂの外周の小径部分と第１のガイドレール１１の補強溝１１ｄの天面との間に進入することにより、第１の戸車２１を制動して停止させることができる。なお、このとき、ガイドレール３２内の戸当りガイド３５の前端下部の戸当り部分３５ｂは、ガイドローラ２３の軸２３ｂを立設するブラケット２３ａの立上り部分に当接して扉３０を停止させる（図６（Ｂ））。
【００２７】
また、扉３０の戸先側には、図示しないロック機構を介して昇降させる閂ロッド３６が上向きに組み込まれており（図６（Ａ））、第１のガイドレール１１の下面には、閂ロッド３６の先端が係合する係合穴１１ｅが形成されている。すなわち、扉３０は、閂ロッド３６を介して全閉状態にロックすることができる。
【００２８】
一方、扉３０を全開に開くと、第１のガイドレール１１内の第１の戸車２１は、第２の戸車２２の吊りボルト２２ｃに付設する戸当り２２ｅに当接し（図７）、同時に、第１の戸車２１の吊りボルト２１ｃに付設する戸当り２１ｅが第２のガイドレール１２内の第２の戸車２２に当接することにより、扉３０が全開位置に停止される。加えて、扉３０の下辺のガイドレール３２の戸先側には、ブラケット３７ａを介して戸当りガイド３７が挿着されており（同図）、戸当りガイド３７の後端下部の戸当り部分３７ｂがガイドローラ２３のブラケット２３ａの立上り部分に当接することにより、扉３０が停止される。
【００２９】
以上の説明において、第１、第２のガイドレール１１、１２、第１、第２の戸車２１、２２は、扉３０を吊下して後者が前者に沿って走行することができればよく、それぞれの具体的な形態は、任意に変更することができる。たとえば、第１、第２の戸車２１、２２は、それぞれ第１、第２のガイドレール１１、１２に収納するものでなく、第１、第２のガイドレール１１、１２に係合する形式であってもよい。また、開口部Ｗに配設する扉枠４０は、これを省略してもよいものとする。
【図面の簡単な説明】
【００３０】
【図１】全体構成模式分解斜視図
【図２】全体構成模式正面図
【図３】図２の要部拡大縦断面図
【図４】要部分解斜視図（１）
【図５】要部分解斜視図（２）
【図６】要部拡大動作説明図
【図７】要部拡大動作図
【符号の説明】
【００３１】
Ｗ…開口部
１１…第１のガイドレール
１２…第２のガイドレール
２１…第１の戸車
２２…第２の戸車
２３…ガイドローラ
２４…支持ローラ
３０…扉
４４…支持レール
特許出願人          小松ウオール工業株式会社
代理人  弁理士                松  田  忠  秋
【図１】
2006194048.tif 000003
【図２】
2006194048.tif 000004
【図３】
2006194048.tif 000005
【図４】
2006194048.tif 000006
【図５】
2006194048.tif 000007
【図６】
2006194048.tif 000008
【図７】
2006194048.tif 000009